(57)【要約】【課題】  植栽容器の汎用性を高め、防虫性、遮光性等を高め、施工が簡単であること。【解決手段】  複数枚の底板ピース２０、複数枚の側板ピース３０、複数個のコーナーピース４からなり、底板ピース２０が底部接合フランジ２２を有し、側板ピース３０が左右接合フランジ３２を有し、これらを用いて各ピースを組み立て、上方が開口した箱体とすることを特徴とする。大きさは適宜設定可能であるが、例えば、１ピース４０ｃｍ〜８０ｃｍ角（例示であり限定されない）のピース板を継ぎ合わせることで使用面積に応じた大きさにすることが可能である。底部接合フランジ２２、左右接合フランジ３２には各ピースの接続のための係合穴５を備え、緊締具６をもって各ピースを組み立てる。【選択図】  図１
2012070723.tif 000002
【特許請求の範囲】
【請求項１】
略長方形の板体である主板と、該主板の四辺から垂直に立設する板片である底部接合フランジと、を有する底板ピースと、
前記主板と、該主板の左右側辺から垂直に立設する板片である左右接合フランジと、を有する側板ピースと、
前記左右接合フランジの立設高さに対応した辺を有するアングル状のコーナーピースと、を備え、
前記底板ピースの各々の前記底部接合フランジ同士を接合して、または前記底板ピースをそのまま用いて、一枚の底板とし、
前記側板ピースの各々の前記左右接合フランジ同士を接合して、または前記側板ピースをそのまま用いて、複数枚の側板とし、
前記側板の下辺を前記底板の端辺に位置する前記底部接合フランジに接合し、
前記側板の各々が直交して隣接する側面コーナーにおいては前記コーナーピースを介して前記左右接合フランジ同士を接続することにより、前記底部接合フランジおよび前記左右接合フランジが外側に突出し、上方が開口した箱体とすることを特徴とする大型組立式植栽用プランター。
【請求項２】
前記側板ピースが、上側辺に前記左右接合フランジと同一方向に立ち上がる上接合フランジを有する第一側板ピースと、下側辺に前記左右接合フランジと同一方向に立ち上がる下接合フランジを有する第二側板ピースと、を有することを特徴とする請求項１に記載の大型組立式植栽用プランター。
【請求項３】
略長方形の板体である主板と、該主板の四辺から垂直に立設する板片である底部接合フランジと、を有する底板ピースと、
前記主板と、該主板の左右側辺から垂直に立設する板片である左右接合フランジと、前記主板の下側辺に前記左右接合フランジと同一方向に立ち上がる上下接合フランジと、を有する側板ピースと、
前記底部接合フランジまたは前記左右接合フランジの立設高さに対応した辺を有するアングル状のコーナーピースと、を備え、
前記底板ピースの各々の前記底部接合フランジ同士を接合して、または前記底板ピースをそのまま用いて、一枚の底板とし、
前記側板ピースの各々の前記左右接合フランジ同士を接合して、または前記側板ピースをそのまま用いて、複数枚の側板とし、
前記底板と前記側板とが直交して隣接する底面コーナーにおいては前記コーナーピースを介して前記底部接合フランジと前記上下接合フランジとを接続し、
前記側板の各々が直交して隣接する側面コーナーにおいては前記コーナーピースを介して前記左右接合フランジ同士を接続することにより、前記底部接合フランジおよび前記左右接合フランジが外側に突出し、上方が開口した箱体とすることを特徴とする大型組立式植栽用プランター。
【請求項４】
前記側板ピースが、上側辺に前記上下接合フランジを有することを特徴とする請求項３に記載の大型組立式植栽用プランター。
【請求項５】
前記底板ピースの前記主板において、前記底部接合フランジと同一方向に立ち上がり、該底部接合フランジと同一の立ち上がり高さを有する補強リブを有することを特徴とする請求項１ないし請求項４に記載の大型組立式植栽用プランター。
【請求項６】
前記側板ピースの前記主板において、前記左右接合フランジと同一方向に立ち上がる補強リブを有することを特徴とする請求項１ないし請求項５に記載の大型組立式植栽用プランター。
【請求項７】
左右に対向する前記側板の各々の上方に立設され、天井で左右方向に横架する複数の逆Ｕ字形状の骨部材と、
複数の該骨部材の上面から前後左右の側面まで覆設される防水シートおよび／または網シートと、を備え、
前記防水シートおよび／または前記網シートの側面が、その下端から上方まで開閉自在な縦スリットを複数個有することにより、複数のカーテン部に分割され、該カーテン部ごとに上下方向に開閉自在であることを特徴とする請求項１ないし請求項６に記載の大型組立式植栽用プランター。
【請求項８】
対向する前記側板が同一高さで一対の組側板とされ、かつ、前記組側板の各々の高さが調整されることにより、側面に段差を有することを特徴とする請求項１ないし請求項６に記載の大型組立式植栽用プランター。
【請求項９】
請求項１または請求項３に記載の大型組立式植栽用プランターを構成する各部材を含んだ組立てセット。
【発明の詳細な説明】
【技術分野】
【０００１】
本発明は、大型組立式植栽用プランターに関する。
【背景技術】
【０００２】
現代社会では、個人住宅空地、ベランダ、ビル屋上、公団住宅空地およびベランダ、学校、幼稚園、マンション他、様々な場所において省スペースで手軽に緑化するための植栽用プランター等への需要がある。そのような植栽用プランターは、手軽に設置・利用するために移動可能であることが望ましく、また、学校、幼稚園での実体験教育、団塊世代の趣味と実益、菜園での実体験と家族の交流等、多種多様な場面での使用における要求を満たすことが求められている。
【０００３】
特許文献１に記載の考案は、建物の屋上等で野菜や草花を栽培しているが、その栽培容器は発泡スチロールの箱・ミカン箱等の廃物容器又は合成樹脂製のプランター等を使用していることが多いので、容器が腐朽して見苦しい状況が多いという課題を解決するために、日曜大工で１人でも任意の大きさ・形の組立が可能な耐久性のある植物栽培容器を考案するため、栽培容器を耐久性・可搬型の基本ピースＡ・Ｂ・Ｃの３種類に分解して製造し、任意の大きさ・形の植物栽培容器を組み立てていき、材料はコンクリート又はＦＲＰを使用するものである。
【０００４】
特許文献２に記載の発明は、空洞コンクリートブロックを使用した堅牢で組立・解体が容易な組立式ピース植栽プランターを提供するため、組立式ブロック植栽プランター２０は、矩形の基底板２と、高さ２〜１０ｃｍの柱状突起片３が２個（３ａ、３ｂ）上面に固着されるとともに前記基底板２の上面縁部に沿って連設された複数枚の長方形金属板４（６枚使用）と、前記長方形金属板４の各柱状突起片３に嵌合することで垂設される複数本のパイプ支柱７（１２本使用）と、前記パイプ支柱７に空洞穴部分８を挿通しつつ積層してプランターの壁面Ｗ１、Ｗ２、Ｗ３、Ｗ４を形成する規格化された空洞コンクリートブロック１（１２個使用）と、からなり、組立、解体が容易で、一方の壁面のみを取り外して開口し、土壌を横に排出することで内部土壌や植木の根の状態を調べたり、植え替え等の作業が容易に行える構成である。
【先行技術文献】
【特許文献】
【０００５】
【特許文献１】実開平５−６７２４２号公報
【特許文献２】特開２０００−１２５６６９号公報
【発明の概要】
【発明が解決しようとする課題】
【０００６】
しかしながら、特許文献１に記載のものは、コンクリート製のブロックでは重量のため一つのブロックの大きさが限定されて、実際には組立が煩雑で容易に組み立てられるとは言い難いものであった。また、ＦＲＰを使用するにしても、各ブロックの接合強度を得るのが難しく実施が困難であった。さらに、組立のための凸部が植物栽培容器の内部にあるため、土のかき出しや攪拌が難しかったり、凹部の排水ができなかったりという問題があった。特許文献２に記載のものは、組立て後の全体の大きさが一枚の基底板の大きさに依拠してしまうため、汎用性に乏しく、広い範囲にわたる利用可能性に限界があった。また、防虫性、遮光性を確保するためには、網とビニールをかぶせなければならず、追加の施工等が面倒であった。
【０００７】
そこで本発明は、植栽容器の汎用性を高め、防虫性、遮光性等を高め、施工が簡単であることを課題とする。
【課題を解決するための手段】
【０００８】
上記課題に鑑み、本発明は、略長方形の板体である主板と、該主板の四辺から垂直に立設する板片である底部接合フランジと、を有する底板ピースと、
前記主板と、該主板の左右側辺から垂直に立設する板片である左右接合フランジと、を有する側板ピースと、
前記左右接合フランジの立設高さに対応した辺を有するアングル状のコーナーピースと、を備え、
前記底板ピースの各々の前記底部接合フランジ同士を接合して、または前記底板ピースをそのまま用いて、一枚の底板とし、
前記側板ピースの各々の前記左右接合フランジ同士を接合して、または前記側板ピースをそのまま用いて、複数枚の側板とし、
前記側板の下辺を前記底板の端辺に位置する前記底部接合フランジに接合し、
前記側板の各々が直交して隣接する側面コーナーにおいては前記コーナーピースを介して前記左右接合フランジ同士を接続することにより、前記底部接合フランジおよび前記左右接合フランジが外側に突出し、上方が開口した箱体とすることを特徴とする大型組立式植栽用プランターである。
【０００９】
本発明は、各部材の組み合わせ数を増減することにより、所定の部材から、所望の大きさ・形状のものを自在に得ることができる大型組立式植栽用プランターである。例えば、前記底板ピース一枚をもって前記底板とし、前記側板ピース一枚をもって前記側板とし、前記底板一枚と前記側板四枚と前記コーナーピース四個とにより組み立てると、本発明における最小限の構成である大型組立式植栽用プランターを得ることとなる。なお、本発明は、以下の記載を含め、これらの部材の形状や組み合わせ方に関するものであって、組立て手順を構成要素とするものではない。
【００１０】
上記本発明において、前記側板ピースが、上側辺に前記左右接合フランジと同一方向に立ち上がる上接合フランジを有する第一側板ピースと、下側辺に前記左右接合フランジと同一方向に立ち上がる下接合フランジを有する第二側板ピースと、を有することを特徴として好ましい。これにより、前記側板を上下に２枚分の前記側板ピースの高さにすることができる。さらに、前記第二側板ピースの上側辺にも前記上下接合フランジを設けることとしても好ましい。これにより、前記第二側板ピースを連続して上下に積み重ねることができ、前記側板の上下の高さを前記側板ピースの複数枚分の高さとして自在にとり得ることとなる。
【００１１】
上記課題に鑑み、本発明は、略長方形の板体である主板と、該主板の四辺から垂直に立設する板片である底部接合フランジと、を有する底板ピースと、
前記主板と、該主板の左右側辺から垂直に立設する板片である左右接合フランジと、前記主板の下側辺に前記左右接合フランジと同一方向に立ち上がる上下接合フランジと、を有する側板ピースと、
前記底部接合フランジまたは前記左右接合フランジの立設高さに対応した辺を有するアングル状のコーナーピースと、を備え、
前記底板ピースの各々の前記底部接合フランジ同士を接合して、または前記底板ピースをそのまま用いて、一枚の底板とし、
前記側板ピースの各々の前記左右接合フランジ同士を接合して、または前記側板ピースをそのまま用いて、複数枚の側板とし、
前記底板と前記側板とが直交して隣接する底面コーナーにおいては前記コーナーピースを介して前記底部接合フランジと前記上下接合フランジとを接続し、
前記側板の各々が直交して隣接する側面コーナーにおいては前記コーナーピースを介して前記左右接合フランジ同士を接続することにより、前記底部接合フランジおよび前記左右接合フランジが外側に突出し、上方が開口した箱体とすることを特徴とする大型組立式植栽用プランターである。
【００１２】
上記本発明において、前記側板ピースが、上側辺に前記上下接合フランジを有することを特徴として好ましい。これにより、前記側板ピースを連続して上下に積み重ねることができ、前記側板の上下の高さを前記側板ピースの複数枚分の高さとして自在にとり得ることとなる。
【００１３】
また、本発明は、前記底板ピースの前記主板において、前記底部接合フランジと同一方向に立ち上がり、該底部接合フランジと同一の立ち上がり高さを有する補強リブを有することを特徴として好ましい。
【００１４】
また、本発明は、前記側板ピースの前記主板において、前記左右接合フランジと同一方向に立ち上がる補強リブを有することを特徴として好ましい。
【００１５】
また、本発明は、左右に対向する前記側板の各々の上方に立設され、天井で左右方向に横架する複数の逆Ｕ字形状の骨部材と、
複数の該骨部材の上面から前後左右の側面まで覆設される防水シートおよび／または網シートと、を備え、
前記防水シートおよび／または前記網シートの側面が、その下端から上方まで開閉自在な縦スリットを複数個有することにより、複数のカーテン部に分割され、該カーテン部ごとに上下方向に開閉自在であることを特徴として好ましい。
【００１６】
前記縦スリットの開閉にはファスナーが好適であるが、これに限らず、スナップボタン等の係止手段を用いることができる。
【００１７】
また、本発明は、対向する前記側板が同一高さで一対の組側板とされ、かつ、前記組側板の各々の高さが調整されることにより、側面に段差を有することを特徴として好ましい。
【００１８】
このとき、隣接する前記組側板の各々において上下高さに差がある境界には土止めとなる仕切板を設置して好適である。
【００１９】
また、本発明は、上記本発明による大型組立式植栽用プランターを構成する各部材を含んだ組立てセットである。
【００２０】
また、本発明は、前記側板の上側辺に防水シートおよび／または網シートを張設するスライダを取り付けるためのレールを備えたことを特徴として好ましい。
【００２１】
前記底部接合フランジ、前記左右接合フランジまたは前記上下接合フランジの各々の接合はボルト締結やＵ字型クリップを用いて行う。
【００２２】
底板ピースおよび側板ピースは、プラスチック製であることが好ましい。ここでいうプラスチックとは各種の合成樹脂等を含む。また、その他各種鋼板も用いることができる。
【００２３】
コーナーピースは、底板ピースおよび側板ピースと同じプラスチック製を用いて好適であるが、ステンレス等の鋼材を用いても好適である。
【発明の効果】
【００２４】
本発明は、以上説明したように構成されているので、移動が可能で、多様な場所に設置することができ、温室として使用するなど用途も多様で、多種多様な社会の要求を満たすことができる。防虫性、遮光性を確保できるし、施工等が簡単である。
【００２５】
本発明による大型組立式植栽用プランターは、使用する底板ピースおよび側板ピースの組み合わせ枚数の増減により、大型組立式植栽用プランター全体のサイズや形状を任意に選択することができる。例えば、底板ピースを一枚、側板ピースを前後左右一枚ずつ組み合わせると最小限の構成となる大型組立式植栽用プランターを得ることができる。また、組み合わせ枚数を増やせば大型組立式植栽用プランターを大きくすることができる。さらに上下接合フランジを設ければ、側板を上下に増やすことも可能であり、より汎用性が広がる。
【００２６】
本発明による大型組立式植栽用プランターは底板ピース、側板ピース、およびコーナーピースのみから組み立てることが可能であり、組立て容易であるばかりでなく、製造コストを低く抑えることができる。
【００２７】
底面コーナーにおいてもコーナーピースを用いることとすれば、より強度を保つことができ、底板ピースおよび側板ピースの軽量化を図ることができる。このとき特にコーナーピースとして鋼材を用いれば、大型組立式植栽用プランター全体の剛性を高めてねじれ変形等を抑止することができる。
【００２８】
本発明によって、骨部材と、開閉自在なカーテン部を有する防水シートおよび／または網シートとを備えることにより、大型組立式植栽用プランター上を温室化し、この中の環境を適宜調整することが容易となる。
【００２９】
本発明によって、底板ピースおよび側板ピースの高さを適宜調整することにより、大型組立式植栽用プランターを階段状の花壇にするなどでき、優れた美観を提供することが可能となる。
【００３０】
防水シートおよび／または網シートを張設するスライダを取り付けるためのレールを備えた場合は、前後にスライド移動自在な屋根を設けることができ、採光や遮光等のために大型組立式植栽用プランター上方を開閉することが容易となり便利である。
【図面の簡単な説明】
【００３１】
【図１】実施形態１による大型組立式植栽用プランター１のプランター容器の斜視図である。補強フランジの図示は省略している。
【図２】同実施形態による大型組立式植栽用プランター１のプランター容器の平面図である。
【図３】同実施形態による大型組立式植栽用プランター１のプランター容器の底面図である。補強フランジの図示は省略している。
【図４】同実施形態による大型組立式植栽用プランター１のプランター容器の正面図である。補強フランジの図示は省略している。
【図５】同実施形態による大型組立式植栽用プランター１のプランター容器の左側面図である。補強フランジの図示は省略している。
【図６】（ａ）は同実施形態による大型組立式植栽用プランター１の底板ピース２０の平面図である。（ｂ）は同底板ピース２０の側面図である。
【図７】（ａ）は同実施形態による大型組立式植栽用プランター１の側板ピース３０の正面図である。（ｂ）は同側板ピース３０の側面図である。（ｃ）は同側板ピース３０の底面図である。
【図８】（ａ）は同実施形態による大型組立式植栽用プランター１のコーナーピース４の平面図である。（ｂ）は同コーナーピース４の側面図である。
【図９】実施形態２による大型組立式植栽用プランター２０１の斜視図である。補強フランジの図示は省略している。
【図１０】（ａ）は同実施形態による大型組立式植栽用プランター２０１の側板ピース２３０の正面図である。（ｂ）は同側板ピース２３０の側面図である。（ｃ）は同側板ピース２３０の底面図である。
【図１１】実施形態３による大型組立式植栽用プランター３０１の斜視図である。
【図１２】同実施形態による大型組立式植栽用プランター３０１´の斜視図である。
【図１３】実施形態４による大型組立式植栽用プランター４０１の斜視図である。
【発明を実施するための形態】
【００３２】
以下に、本発明の実施形態１である大型組立式植栽用プランター１について図１〜図８を参照して説明する。
【００３３】
この大型組立式植栽用プランター１は、底板２、側板３、およびコーナーピース４を組み立てて、上方が開口した直方体形状の箱体としたものである。底板２は一つないし複数個の底板ピース２からなり、側板３は一つないし複数個の側板ピース３からなる。コーナーピース４はコーナー部の連接・補強に用いるものである。以下、各部材について説明する。
【００３４】
底板２は、図２、図３に示す通り、六個の底板ピース２０を連接したものである。底板ピース２０は、図６に示す通り、主板２１と底部接合フランジ２２と補強リブ２３とからなる。主板２１は、厚み６ｍｍで５００ｍｍ×５００ｍｍの正方形の板材である。底部接合フランジ２２は、主板２１の四つの端辺から同じ方向に垂直に立設する、厚み４ｍｍで５００ｍｍ×４０ｍｍの四枚の板片である。底部接合フランジ２２には係合穴５が適宜設けられている。補強リブ２３は、主板２１から底部接合フランジ２２と同一方向に立設する強度補強用のプレートである。底板ピース２０には、補強リブ２３として、縦補強リブ２４および横補強リブ２５が主板２１の前面を３×２の格子状に覆い、筋交いリブ２６が主板２１の対角線に配置されている。
【００３５】
底板ピース２０の上記寸法は一例であり、強度および重量を考慮して適宜選択するものとする。大きすぎると持ち運び・組立て等における扱いが難しくなり、また、耐荷重性を確保することが困難となるためである。主板２１の厚みは、２〜１０ｍｍが好ましく、４〜８ｍｍがより好ましい。主板２１の大きさは、一辺が３００〜１２００ｍｍが好ましく、４００〜７００ｍｍがより好ましい。主板２１は正方形であっても長方形であってもよい。底部接合フランジ２２の厚みは２〜１０ｍｍが好ましく、４〜８ｍｍがより好ましい。底部接合フランジ２２の立ち上がり高さは、３０〜８０ｍｍが好ましく、４０〜６０ｍｍがより好ましい。補強リブ２３の厚みは２〜１０ｍｍが好ましく、２〜４ｍｍがより好ましい。補強リブ２３の立ち上がり高さは、底部接合フランジ２２と同程度の範囲をとるのが好ましく、同一立ち上がり高さであることがより好ましい。
【００３６】
側板３は、図１、図４、図５に示す通り、二個または三個の側板ピース３０を連接したものである。側板ピース３０は、図７に示す通り、主板３１と左右接合フランジ３２と補強リブ３４と把持板３７とからなる。主板３１は、厚み４ｍｍで６００ｍｍ×５００ｍｍの長方形の板材である。左右接合フランジ３２は、主板３１の左右側辺から同じ方向に垂直に立設する、厚み４ｍｍで６００ｍｍ×５０ｍｍの二枚の板片である。主板３１の下辺および底部接合フランジ２２には係合穴５が適宜設けられている。主板３１には底板ピース２０と同じく補強リブ３４として、縦補強リブ３５および横補強リブ３６が格子状に設けられている。また、主板３１の上辺には左右接合フランジ３２と同様なプレートである把持板３７が立設されている。
【００３７】
側板ピース３０の上記寸法は一例であり、強度および重量を考慮して適宜選択するものとする。主板３１の厚みは、２〜１０ｍｍが好ましく、４〜６ｍｍがより好ましい。主板３１の大きさは、一辺が３００〜１２００ｍｍが好ましく、４５０〜８００ｍｍがより好ましい。主板３１は正方形であっても長方形であってもよい。左右接合フランジ３２および把持板３７の厚みは２〜１０ｍｍが好ましく、４〜６ｍｍがより好ましい。左右接合フランジ３２の立ち上がり高さは、３０〜８０ｍｍが好ましく、４０〜６０ｍｍがより好ましい。補強リブ３４の厚みは２〜１０ｍｍが好ましく、２〜４ｍｍがより好ましい。
【００３８】
コーナーピース４は、図８に示す通り、いわゆるアングル状の部材であるアングル部４１と、アングル部４１の両端および中間に適宜設けられる補強リブ４２とからなる部材であって、直交して隣接する側板３の各々の左右接合フランジ３２を連結するためのものである。アングル部４１の断面の一辺の幅は左右接合フランジ３２の立設高さに対応したものであり、コーナーピース４の部材長さは主板３１の側辺の長さに対応したものである。アングル部４１には係合穴５が適宜設けられている。補強リブ４２はアングル部４１に直交する扇状の板材である。コーナーピース４のアングル部４１の厚みは２〜１０ｍｍが好ましく、４〜６ｍｍがより好ましい。補強リブ４２の厚みは２〜１０ｍｍが好ましく、２〜４ｍｍがより好ましい。
【００３９】
底板ピース２０、側板ピース３０、およびコーナーピース４の各ピースはポリエチレン製であるが、ポリプロピレン、ポリ塩化ビニル、ポリエチレンテレフタラート、アクリル樹脂、その他、ガラス繊維やプラスチック繊維等を加えた強化プラスチックを含む合成樹脂製として好適である。また、ステンレスやアルミ等の鋼板を用いることもできる。合成樹脂を用いる場合は軽量化に優れ、鋼板を用いる場合は耐荷重性に優れるため、適宜使い分けるとよい。特にコーナーピース４をステンレス等の鋼板により作成して剛性の向上を図っても好適である。
【００４０】
大型組立式植栽用プランター１の組立て方法について説明する。まず、底板ピース２０同士を接合して一枚の底板２を、側板ピース３０同士を接合して四枚の側板３を、それぞれ組み立てる。各ピースの接合は、隣接する各々の左右接合フランジ３２または底部接合フランジ２２の係合穴５をボルト・ナットなどの緊締具６で固定することにより行う。つぎに、側板ピース３０の下辺の係合穴５と底部接合フランジ２２の係合穴５を合わせて緊締具６で固定することにより、底板２の四端辺に側板３を固定する。このとき、側板３の左右接合フランジ３２が外側に突出する方向にして側板３を組み付ける。側板３同士が隣り合う四つの側面コーナーにおいては、左右接合フランジ３２とコーナーピース４の係合穴５を合わせて緊締具６で固定することにより、隣り合う二つの側板３をコーナーピース４を介して固定する。
【００４１】
大型組立式植栽用プランター１はピース組立式となっているが、底部接合フランジ２２、左右接合フランジ３２、およびコーナーピース４の継ぎ目は、図５の部分拡大図に示す通り、止水パッキン７を入れてあるので、水密構造を確保できる。また、適宜、大型組立式植栽用プランター１に排水穴を形成することもできる。なお、上記は組立て例であり、使用する部材の個数や組み付ける順番はこれに限られない。また、各ピースの接合にはＵ字型クリップを用いてもよく、この場合には係合穴５がなくてもよい。
【００４２】
本発明の実施形態２について図９、図１０を用いて以下に説明する。実施形態２は、実施形態１の大型組立式植栽用プランター１において側板ピース３０を上下にも接続して側板３の高さを大きくした大型組立式植栽用プランター２０１である。大型組立式植栽用プランター２０１の各部については、特に示さない限り実施形態１の説明を援用し、図９においても詳細な図示を省略する。
【００４３】
側板２０３は、図９に示す通り、四個または六個の側板ピース２３０を連接したものである。側板ピース２３０は、図１０に示す通り、主板２３１と左右接合フランジ２３２と上下接合フランジ２３３と補強リブ２３４とからなる。上下接合フランジ２３３は、左右接合フランジ２３２と同様のもので、主板２３１の上下側辺から立設する二枚の板片である。
【００４４】
コーナーピース２４１は、側板ピース２３０の高さと底板ピース２２０の底部接合フランジ２２２の高さを足した長さを有する。コーナーピース２４２は、コーナーピース２４１の上段に配置されるものであり、側板ピース２３０の高さに対応した長さを有する。
【００４５】
底部コーナーピース２４３は側部コーナーピース２４１，２４２と同様の部材である。長さは底板ピース２２０の一辺に対応したものである。
【００４６】
大型組立式植栽用プランター２０１の組立ては、実施形態１と同様にして、直交して隣り合う側板２０３同士の接合は側部コーナーピース２４２を介して行うが、底板２０２と側板２０３との接合には、図９に示す通り、底板２０２の底部接合フランジ２２２と側板２０３の下辺にある上下接合フランジ２３３とを底部コーナーピース２４３を介して行うこととなる。
【００４７】
本発明の実施形態３について図１１を用いて以下に説明する。実施形態３は、実施形態１の大型組立式植栽用プランター１の上方に防水シート３５０および網シート３６０を追加したものである。大型組立式植栽用プランター３０１の各部については、特に示さない限り実施形態１の説明を援用し、図１１においても詳細な図示を省略する。
【００４８】
骨部材３７０は、防水シート３５０および網シート３６０を設置するための逆Ｕ字形状の部材である。骨部材３７０は、逆Ｕ字形状の開放側を下方に向けて、二つの端辺が左右に対向する側板ピース３３０の各々の側面において固定されることにより立設される。骨部材３７０は前後方向に適宜間隔を空けて複数本設置される。前端および後端にはそれぞれ、二本の逆Ｕ字形状の部材を平行して連結したものである前骨部材３７１および後骨部材３７２を設置し強度補強を図っている。骨部材３７０の高さは任意に設定することができる。
【００４９】
防水シート３５０は、立設された複数の骨部材３７０の上面から前後左右の側面まで覆設される下方が開放された形状のシートである。防水シート３５０の側面には、その下端から上方までファスナーにより開閉自在な縦スリット３５１が複数備わる。本実施形態３では縦スリット３５１を側面の四隅および左右側面の中央に設けているが、これに限らず任意にとり得る。縦スリット３５１により分割された防水シート３５０の側面には、ロールアップ可能なカーテン部３５２が形成されることとなる。防水シート３５０の材質は任意の物を用いることができる。
【００５０】
網シート３６０は、防水シート３５０と同様の構造を持つものであり、構造の説明はこれを援用する。網シート３６０は、防水シート３５０と複数の骨部材３７０との間に設置されるので、サイズを適宜調整するとよい。網シート３３０の材質は任意の物を用いることができる。本実施形態３では、網シート３６０を防水シート３５０と同様の構造を持つものとし、上面から前後左右の側面にかけての全てを防水シート３５０および網シート３６０の二重構造にしているが、防水シート３５０のカーテン部３５２に相当する部分にのみ網シート３６０を設けてもよい。
【００５１】
防水シート３５０の側面上部には、開け放した防水カーテン３５２および網シート３６０を上部で固定するための係止フック３５３が適宜設けられる。防水シート３５０および網シート３６０の側面上部の裏面には、係止フック３５３を係止するための係止環（図示略）が設けられる。
【００５２】
実施形態３において、図１２に示す通り、骨部材３７０の代わりにスライダ３８０を用いてもよい。以下、実施形態３の変形例である大型組立式植栽用プランター３０１´について説明する。スライダ３８０は、下部の箱体である大型組立式植栽用プランター３０１の上方を開閉自在の幌構造とするためのものであり、骨部材３７０と同様に逆Ｕ字形状の複数の部材である。このとき、大型組立式植栽用プランター３０１の側板３０３上部には、スライダ３８０をスライド可能に保持するレール３３７を設けるものとする。スライダ３８０は、フロントアセンブリ３８１、中間アセンブリ３８２、リアアセンブリ３８３からなる。フロントアセンブリ３８１、リアアセンブリ３８３は、前後端に用いて幌の開閉を容易にし、幌構造の強度向上を図るためのものである。フロントアセンブリ３８１、中間アセンブリ３８２、リアアセンブリ３８３には、それぞれ、レール３３７の溝を走行するためのローラ３９１，３９２，３９３がその両端部に設けられている。これにより、フロントアセンブリ２８０、中間アセンブリ２８１、リアアセンブリ２８２がレール３３７上を前後方向にスライド移動することができ、幌構造として伸縮自在に開閉することとなる。フロントアセンブリ３８１および／またはリアアセンブリ３８３はスライド可能ではあるが、中間アセンブリ３８２とは異なり、レール３３７に固定することができるようになっている。したがって、いずれか一方または両方同時に固定できる。スライダ２０８には骨部材３７０と同様に防水シート３５０および／または網シート３６０を取り付ける。なお、スライダ３８０の詳細構造は特開２００５−８２７６号公報を参照されたい。
【００５３】
本発明の実施形態４について図１３を用いて以下に説明する。実施形態４は、大型組立式植栽用プランター１における側板ピース３０の高さを変更し、前後方向に階段状にした大型組立式植栽用プランター４０１である。大型組立式植栽用プランター４０１の各部については、特に示さない限り実施形態１の説明を援用し、図１６においても詳細な図示を省略する。
【００５４】
本実施形態４では、左右に対向する側板ピース４３０を三組使用し、前方の組から順に側板ピース４３０ａ、側板ピース４３０ｂ、および側板ピース４３０ｃとする。各組における段差高さは任意にとることができる。前方向には側板ピース４３０ａと同じ高さの側板ピース４３０ｄが設置され、後方向には側板ピース４３０ｃと同じ高さの側板ピース４３０ｅが設置される。
【００５５】
側板ピース４３０ａと側板ピース４３０ｂとの境界の上方には、仕切板４５０が側板ピース４３０ｄおよび側板ピース４３０ｅと平行にして設けられる。仕切板４５０は、一組の側板ピース４３０ａの間に設けられる板材であり、その上辺は側板ピース４３０ｂの上面高さと同一で、その下辺は側板ピース４３０ａの上面高さよりも１０ｃｍ程度低い位置に設定されている。仕切板４５０は、側板ピース４３０ｂに固定されたブラケット４５１により設置され、ブラケット４５１の対応箇所である左右両辺には係合穴４０５が適宜設けられる。
【００５６】
ブラケット４５１は、仕切板４５０の設置時における一組の側板ピース４３０ｂのそれぞれの該当箇所に固定されるものである。ブラケット４５１は、仕切板４５０を挟着するように、仕切板４５０の左右一辺に対して前後二つの部材が用いられ、仕切板４５０との対応箇所に係合穴４０５が設けられるものである。仕切板４５０の設置は、左右各辺においてブラケット４５１に挟装され、係合穴４０５において緊締具４０６でもって締結されることにより行われる。
【００５７】
側板ピース４３０ｂと側板ピース４３０ｃとの境界の上方についても、側板ピース４３０ａと側板ピース４３０ｂとの境界の上方と同様にして仕切板４５０およびブラケット４５１が設けられる。
【００５８】
以下、実施形態の使用、作用効果を説明する。実施形態１による大型組立式植栽用プランター１は、家庭菜園やビルの屋上での菜園および緑化等に用いることができる。設置場所は、個人住宅の空地、ベランダ、ビル屋上、公団住宅空地およびベランダ、学校、幼稚園、マンション他、広範囲である。用途は、学校、幼稚園での実体験教育、団塊世代の趣味と実益、菜園での実体験と家族の交流等、広範囲である。各ピース間に止水パッキンを用いるので、田んぼとしても利用可能であり、稲作もできる。
【００５９】
大型組立式植栽用プランター１は組立式となっており、人力で目的地へ運び、面積に合わせた大きさで設置することができる。組立および分解が容易であるため、現場での設置・撤去を短時間で行うことができ、各種イベントにも好適である。また、構造が簡便なため、水やりタイマーをセットできる自動灌水装置を設けるなど種々の機器との組み合わせも容易である。さらに、大型組立式植栽用プランター１を合成樹脂製とすれば、軽量化を図ることができ、運搬が極めて容易となる。大型組立式植栽用プランター１は、コーナーピース４を側面コーナーに用いることにより、前後左右の側面を全て同一の側板ピース３０で形成することができるものである。つまり、大型組立式植栽用プランター１は底板ピース２０、側板ピース３０、およびコーナーピース４のみの組み合わせから作成されるため、部品の汎用性が非常に高く、製造コストを大幅に抑えることができる。
【００６０】
実施形態２によると、底部コーナーピース２４３を用いることにより、大型組立式植栽用プランター２０１のねじれ剛性を高めることができ、補強リブ２３４を適宜減らしたり、その厚みを薄くするなどして側板ピース２３０の軽量化を図ることができる。また、上下接合フランジ２３３を用いることにより、側板ピース２３０を上下方向に接続することができるため、大型組立式植栽用プランター２０１の組立ての自由度が増し、また、各ピースのサイズをより小さく設定することも可能となる。
【００６１】
実施形態３によると、防水シート３５０および網シート３６０を開閉自在に設けることができる。防水シート３５０の開閉は、複数に分割されたカーテン部３５２をロールアップしたり、引き下ろしたりすることにより、部分的に行うことができる。網シート３６０も防水シート３５０と同様に開閉できる。防水シート３５０と網シート３６０の開閉はそれぞれ独立して行うことができ、防水シート３５０および網シート３６０を閉じた状態、防水シート３５０および網シート３６０を開いた状態、網シート３６０を閉じて防水シート３５０のみ開いた状態を各カーテン部３５２においてとることができる（図１３参照）。上記の通り、カーテン部３５２を部分的に開閉可能なため、風通しや温度・湿度等の内部環境の調整も行うことができる。防水シート、網シート等をかぶせることで、無農薬野菜等の育成ができる。寒暖保護となるビニールを用いる場合、温室化することができる。また、屋上に置くことで下の階への寒暖に対する保護となる。
【００６２】
実施形３の変形例によると、スライダを利用し、防水シートや網シートの設置およびこの開閉が容易となる。
【００６３】
実施形態４によると、大型組立式植栽用プランター４０１を階段状に構成することができ、花壇を構築する場合などに優れた美観を持ったものを提供することができる。仕切板４５０を設けることによって、隣接する各ピースにおいて上下高さに差がある境界の土止めができ、土を階段状に保持することができる。また、仕切板４５０は抜き差しによる着脱が容易であるため、多彩な使用が可能となる。
【００６４】
なお、本発明の実施形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。例えば、底板ピース２０の接合により得られる底板２の形状は必ずしも長方形である必要はなく、底板ピース２０の組み合わせによって得られる任意の形状をとることができる。
【符号の説明】
【００６５】
１、２０１、３０１、３０１´、４０１・・・大型組立式植栽用プランター
２・・・底板
２０・・・底板ピース
２１・・・主板
２２・・・底部接合フランジ
２３・・・補強リブ
２４・・・縦補強リブ
２５・・・横補強リブ
２６・・・筋交いリブ
３・・・側板
３０・・・側板ピース
３１・・・主板
３２・・・左右接合フランジ
３４・・・補強リブ
３５・・・縦補強リブ
３６・・・横補強リブ
３７・・・把持板
４・・・コーナーピース
４１・・・アングル部
４２・・・補強リブ
５・・・係合穴
６・・・緊締具
７・・・止水パッキン
２３３・・・上下接合フランジ
２４１，２４２・・・側部コーナーピース
２４３・・・底部コーナーピース
３５０・・・防水シート
３５１・・・縦スリット
３５２・・・カーテン部
３５３・・・係止フック
３６０・・・網シート
３７０・・・骨部材
３７１・・・前骨部材
３７２・・・後骨部材
３８０・・・スライダ
３８１・・・フロントアセンブリ
３８２・・・中間アセンブリ
３８３・・・リアアセンブリ
３３７・・・レール
３９１，３９２，３９３・・・ローラ
４５０・・・仕切板
４５１・・・ブラケット
４３０ａ，４３０ｂ、４３０ｃ，４３０ｄ、４３０ｅ・・・側板ピース
４２０・・・仕切板
４２１・・・ブラケット
【図１】
2012070723.tif 000003
【図２】
2012070723.tif 000004
【図３】
2012070723.tif 000005
【図４】
2012070723.tif 000006
【図５】
2012070723.tif 000007
【図６】
2012070723.tif 000008
【図７】
2012070723.tif 000009
【図８】
2012070723.tif 000010
【図９】
2012070723.tif 000011
【図１０】
2012070723.tif 000012
【図１１】
2012070723.tif 000013
【図１２】
2012070723.tif 000014
【図１３】
2012070723.tif 000015